(57)【要約】【課題】駆動力が増加し、節電効果を達成できる電流制御補償強化装置を提供する。【解決手段】一つの収容空間１１と、一つのワーク１２と、一つのコイル１３と、少なくとも一つの補償具１４とを含む。ワーク１２は、一定の長さを有し、外縁の形状が収容空間１１の内縁の形状に合い、収容空間１１内で揺動可能である。コイル１３は、収容空間１１の外側に設けられ、一つの電子回路に接続し、電子回路が電流をコイル１３に供給すると、ワーク１２が移動される。補償具１４は、収容空間１１の外部に設けられ、コイル１３に電流が流れると、ワーク１２の磁力線が補償されて強化される。磁石がコイル１３の内部を通過すると、ワーク１２には他の電流が発生し、電子回路から供給する電流を節約できる。【選択図】図２Ａ
2006314193.tif 000002
【特許請求の範囲】
【請求項１】
一つの収容空間と、一つのワークと、一つのコイルと、少なくとも一つの補償具とを含む電流制御補償強化装置において、
前記ワークは一定の長さを有し、外縁の形状が前記収容空間の内縁の形状に合い、前記収容空間内で揺動可能であり、
前記コイルは前記収容空間の外側に設けられ、一つの電子回路に接続し、前記電子回路が電流を前記コイルに供給すると、前記ワークが移動され、
前記補償具は前記収容空間の外部に設けられ、前記コイルに電流が流れると、前記ワークの磁力線が補償されて強化されることを特徴とする電流制御補償強化装置。
【請求項２】
前記補償具は、一つの磁性体を含み、前記磁性体の磁力線の出入り方向は前記コイルの磁力線の出入り方向に対応することを特徴とする請求項１に記載の電流制御補償強化装置。
【請求項３】
前記補償具は、一つの磁性体を含み、前記磁性体の磁力線の出入り方向は前記コイルの巻き線方向に対応することを特徴とする請求項１に記載の電流制御補償強化装置。
【請求項４】
前記コイルは、前記収容空間の外面に設けられ、
前記補償具は更に一つの磁気伝導体を含み、前記磁気伝導体は前記コイルの外面に設けられ、前記コイルと前記収容空間を覆うことを特徴とする請求項３に記載の電流制御補償強化装置。
【請求項５】
前記収容空間の両端には開口が設けてあり、前記磁気伝導体の両端がそれぞれ湾折されて前記収容空間の端部から前記収容空間の内部に一定長さで伸び込んでいることを特徴とする請求項４に記載の電流制御補償強化装置。
【請求項６】
前記収容空間の両端には開口が開設してあり、他の磁気伝導体がそれぞれ設けてあり、前記他の磁気伝導体は一端が前記収容空間の内部に位置し、他端が前記磁気伝導体に当接することを特徴とする請求項４に記載の電流制御補償強化装置。
【請求項７】
磁性体は、前記磁気伝導体の外面に設けられていることを特徴とする請求項４、請求項５又は請求項６に記載の電流制御補償強化装置。
【請求項８】
磁性体は、前記コイルと前記磁気伝導体との間に設けられていることを特徴とする請求項４、請求項５又は請求項６に記載の電流制御補償強化装置。
【請求項９】
前記コイルは、前記収容空間の外面に設けられ、
前記補償具は更に一つの磁気伝導体を含み、前記磁気伝導体は前記コイルと前記磁気伝導体との間に設けられ、前記収容空間を覆うことを特徴とする請求項３に記載の電流制御補償強化装置。
【請求項１０】
前記収容空間の両端には開口が設けてあり、前記磁気伝導体の両端がそれぞれ湾折されて前記収容空間の端部から前記収容空間の内部に一定長さで伸び込んでいることを特徴とする請求項９に記載の電流制御補償強化装置。
【請求項１１】
前記収容空間の両端には開口が開設してあり、他の磁気伝導体がそれぞれ設けてあり、前記他の磁気伝導体は一端が前記収容空間の内部に位置し、他端が前記磁気伝導体に当接することを特徴とする請求項９に記載の電流制御補償強化装置。
【請求項１２】
前記磁性体は、前記収容空間と前記磁気伝導体との間に設けられていることを特徴とする請求項９、請求項１０又は請求項１１に記載の電流制御補償強化装置。
【請求項１３】
前記磁性体は、前記コイルと前記磁気伝導体との間に設けられていることを特徴とする請求項９、請求項１０又は請求項１１に記載の電流制御補償強化装置。
【請求項１４】
前記補償具は、更に一つの磁気伝導体を含み、
前記磁気伝導体は両端が接触しないサークル形状に湾折され、
前記収容空間は前記磁気伝導体の両端の間に設けられ、
前記コイルは前記磁気伝導体の中段部位に巻き付けられていることを特徴とする請求項２に記載の電流制御補償強化装置。
【請求項１５】
前記補償具は、更に一つの磁気伝導体を含み、
前記磁気伝導体は両端が接触しないサークル形状に湾折され、
前記収容空間は前記磁気伝導体の両端の間に設けられ、
前記コイルは前記磁気伝導体の中段部位に巻き付けられていることを特徴とする請求項２に記載の電流制御補償強化装置。
【請求項１６】
更に前記磁気伝導体の中段部位に巻き付けられている他のコイルを含むことを特徴とする請求項１４又は請求項１５に記載の電流制御補償強化装置。
【請求項１７】
磁石が前記コイルの内部を通過すると、他の電流が発生し、更に前記他の電流を前記電子回路にフィードバックして補償を強化するためのフィードバック回路を含むことを特徴とする請求項１に記載の電流制御補償強化装置。
【請求項１８】
前記補償具は、一つの磁気伝導体を含み、前記磁気伝導体が前記収容空間の外部に設けられ、前記コイルに電流が流れると、前記コイルの磁力線が前記磁気伝導体に導かれることを特徴とする請求項１に記載の電流制御補償強化装置。
【請求項１９】
前記磁気伝導体は、前記コイルの外面に設けられ、前記コイルと前記収容空間を覆うことを特徴とする請求項１８記載の電流制御補償強化装置。
【請求項２０】
前記磁気伝導体は、前記コイルと前記収容空間との間に設けられ、前記収容空間を覆うことを特徴とする請求項１８記載の電流制御補償強化装置。
【請求項２１】
前記収容空間の両端には開口が設けてあり、前記磁気伝導体の両端がそれぞれ湾折されて前記収容空間の端部から前記収容空間の内部に一定長さで伸び込んでいることを特徴とする請求項１９又は請求項２０に記載の電流制御補償強化装置。
【請求項２２】
前記収容空間の両端には開口が開設してあり、他の磁気伝導体がそれぞれ設けてあり、前記他の磁気伝導体は一端が前記収容空間の内部に位置し、他端が前記磁気伝導体に当接することを特徴とする請求項１９又は請求項２０に記載の電流制御補償強化装置。
【発明の詳細な説明】
【技術分野】
【０００１】
本発明は、磁力線を補償するための装置に係り、特に、電流に制御され、磁力線を補償して強化する装置に関するものである。
【背景技術】
【０００２】
電流によってワークを制御して駆動する従来の装置としては、例えば、モータと、回転型ポンプと、リレーと、磁力加速器などがあり、その構成の動作は、主に、一組のコイルに電流を流すことによる磁力によってワークが磁性体に対して相対運動をすることである。例えば、図１に示す回転型ポンプは、主に、二つのコイル９１と、一つのＵ字形磁気伝導体９２と、一つの収容空間９３と、磁性を持つ回転子９４とを含み、前記二つのコイル９１は前記磁気伝導体９２に巻き付けて一つの電子回路（図示せず）に接続し、前記収容空間９３は前記磁気伝導体９２の両端の間に設けられ、前記回転子９４は前記収容空間９３の内部に設けられ、一端にはホイル（図示せず）が設けてあり、前記二つのコイル９１に電流を流すと、前記磁気伝導体９２の両端の磁極が前記回転子９４を排斥して回転させ、これにより、流体を流す効果がある。
【０００３】
他の種類のポンプはリニア運動ポンプ（例えば、特許文献１）があり、前記リニア運動ポンプは一つの収容空間の内部に磁石が五つ設けてあり、前記収容空間には若干の貫通穴が開設してあり、電流方向を切替可能なコイルによりそのうちの一つの磁石を往復動させることによって、二つの流体を交代にプッシュする効果がある。
【０００４】
上記のモータやポンプの動作は一つのコイルに電流を流すことによる磁力によってワークが磁性体又は磁力で作用可能なものに対して相対運動（回転又はリニアの移動）をすることであるので、駆動力を増加する方法としては電流、コイルの巻き線数又は磁性具の磁力を増加することが必要である。
【０００５】
【特許文献１】米国特許第６，３６４，００３号
【発明の開示】
【発明が解決しようとする課題】
【０００６】
本発明の主な目的は、駆動力が増加する電流制御補償強化装置を提供する。
本発明の次の目的は、節電効果を達成可能な電流制御補償強化装置を提供する。
【課題を解決するための手段】
【０００７】
上記目的を達成するためになされた本発明は、一つの収容空間と、一つのワークと、一つのコイルと、少なくとも一つの補償具とを含む電流制御補償強化装置において、前記ワークは一定の長さを有し、外縁の形状が前記収容空間の内縁の形状に合い、前記収容空間内で揺動可能であり、前記コイルは前記収容空間の外側に設けられ、一つの電子回路に接続し、前記電子回路が電流を前記コイルに供給すると、前記ワークが移動され、前記補償具は前記収容空間の外部に設けられ、前記コイルに電流を流すと、前記ワークの磁力線が補償されて強化されることを特徴とする電流制御補償強化装置であることを要旨としている。
【０００８】
本発明では、前記補償具は一つの磁性体を含み、前記磁性体の磁力線の出入り方向は前記コイルの磁力線の出入り方向に対応することを特徴とする請求項１に記載の電流制御補償強化装置であることを要旨としている。
本発明では、前記補償具は一つの磁性体を含み、前記磁性体の磁力線の出入り方向は前記コイルの巻き線方向に対応することを特徴とする請求項１に記載の電流制御補償強化装置であることを要旨としている。
【０００９】
本発明では、前記コイルは前記収容空間の外面に設けられ、前記補償具は更に一つの磁気伝導体を含み、前記磁気伝導体は前記コイルの外面に設けられ、前記コイルと前記収容空間を覆うことを特徴とする請求項３に記載の電流制御補償強化装置であることを要旨としている。
【００１０】
本発明では、前記収容空間の両端には開口が設けてあり、前記磁気伝導体の両端がそれぞれ湾折されて前記収容空間の端部から前記収容空間の内部に一定長さで伸び込んでいることを特徴とする請求項４に記載の電流制御補償強化装置であることを要旨としている。
本発明では、前記収容空間の両端には開口が開設してあり、他の磁気伝導体がそれぞれ設けてあり、前記他の磁気伝導体は一端が前記収容空間の内部に位置し、他端が前記磁気伝導体に当接することを特徴とする請求項４に記載の電流制御補償強化装置であることを要旨としている。
【００１１】
本発明では、前記磁性体は前記磁気伝導体の外面に設けられていることを特徴とする請求項４、請求項５又は請求項６に記載の電流制御補償強化装置であることを要旨としている。
本発明では、前記磁性体は前記コイルと前記磁気伝導体との間に設けられていることを特徴とする請求項４、請求項５又は請求項６に記載の電流制御補償強化装置であることを要旨としている。
【００１２】
本発明では、前記コイルは前記収容空間の外面に設けられ、前記補償具は更に一つの磁気伝導体を含み、前記磁気伝導体は前記コイルと前記磁気伝導体との間に設けられ、前記収容空間を覆うことを特徴とする請求項３に記載の電流制御補償強化装置であることを要旨としている。
【００１３】
本発明では、前記収容空間の両端には開口が設けてあり、前記磁気伝導体の両端がそれぞれ湾折されて前記収容空間の端部から前記収容空間の内部に一定長さで伸び込んでいることを特徴とする請求項９に記載の電流制御補償強化装置であることを要旨としている。
本発明では、前記収容空間の両端には開口が開設してあり、他の磁気伝導体がそれぞれ設けてあり、前記他の磁気伝導体は一端が前記収容空間の内部に位置し、他端が前記磁気伝導体に当接することを特徴とする請求項９に記載の電流制御補償強化装置であることを要旨としている。
【００１４】
本発明では、前記磁性体は前記収容空間と前記磁気伝導体との間に設けられていることを特徴とする請求項９、請求項１０又は請求項１１に記載の電流制御補償強化装置であることを要旨としている。
本発明では、前記磁性体は前記コイルと前記磁気伝導体との間に設けられていることを特徴とする請求項９、請求項１０又は請求項１１に記載の電流制御補償強化装置であることを要旨としている。
【００１５】
本発明では、前記補償具は更に一つの磁気伝導体を含み、前記磁気伝導体は両端が接触しないサークル形状に湾折され、前記収容空間は前記磁気伝導体の両端の間に設けられ、前記コイルは前記磁気伝導体の中段部位に巻き付けられていることを特徴とする請求項２に記載の電流制御補償強化装置であることを要旨としている。
【００１６】
本発明では、前記補償具は更に一つの磁気伝導体を含み、前記磁気伝導体は両端が接触しないサークル形状に湾折され、前記収容空間は前記磁気伝導体の両端の間に設けられ、前記コイルは前記磁気伝導体の中段部位に巻き付けられていることを特徴とする請求項２に記載の電流制御補償強化装置であることを要旨としている。
【００１７】
本発明では、更に、前記磁気伝導体の中段部位に巻き付けられた他のコイルを含むことを特徴とする請求項１４又は請求項１５に記載の電流制御補償強化装置であることを要旨としている。
本発明では、磁石が前記コイルの内部を通過すると、前記ワークに他の電流が発生し、更に前記他の電流を前記電子回路にフィードバックして補償を強化するためのフィードバック回路を含むことを特徴とする請求項１に記載の電流制御補償強化装置であることを要旨としている。
【００１８】
本発明では、前記補償具は一つの磁気伝導体を含み、前記磁気伝導体が前記収容空間の外部に設けられ、前記コイルに電流を流すと、前記コイルの磁力線が前記磁気伝導体に導かれることを特徴とする請求項１に記載の電流制御補償強化装置であることを要旨としている。
【００１９】
本発明では、前記磁気伝導体は前記コイルの外面に設けられ、前記コイルと前記収容空間を覆うことを特徴とする請求項１８記載の電流制御補償強化装置であることを要旨としている。
本発明では、前記磁気伝導体は前記コイルと前記収容空間との間に設けられ、前記収容空間を覆うことを特徴とする請求項１８記載の電流制御補償強化装置であることを要旨としている。
【００２０】
本発明では、前記収容空間の両端には開口が設けてあり、前記磁気伝導体の両端がそれぞれ湾折されて前記収容空間の端部から前記収容空間の内部に一定長さで伸び込んでいることを特徴とする請求項１９又は請求項２０に記載の電流制御補償強化装置であることを要旨としている。
【００２１】
本発明では、前記収容空間の両端には開口が開設してあり、他の磁気伝導体がそれぞれ設けてあり、前記他の磁気伝導体は一端が前記収容空間の内部に位置し、他端が前記磁気伝導体に当接することを特徴とする請求項１９又は請求項２０に記載の電流制御補償強化装置であることを要旨としている。
【発明の効果】
【００２２】
本発明に係る電流制御補償強化装置によれば、次のような効果がある。
（イ）磁性体１４を設置することにより、電流、コイルの巻き線数又は磁性具の磁力を増加しなくても、コイル１３のワーク１２に対する駆動力を補償して強化することができる。
【００２３】
（ロ）磁石がコイル１３の内部を通過すると、ワーク１２には他の電流（すなわち、逆起電力）が発生し、電子回路から供給する電流を節約することができ、そして、磁性体１４は補償強化の役割を担当するので、コイル１３のワーク１２に対する駆動力は降下しない。
【発明を実施するための最良の形態】
【００２４】
以下、添付図面を参照して本発明の好適な実施の形態を詳細に説明する。
まず、図２Ａと図２Ｂを参照する。本発明の実施例１又は実施例２による電流制御補償強化装置は、一つの収容空間１１と、一つのワーク１２と、一つのコイル１３と、少なくとも一つの補償具とを含む。
【００２５】
前記ワーク１２は、一定の長さを有し、外縁の形状が前記収容空間１１の内縁の形状に合い、前記収容空間１１内で揺動可能であり、前記ワーク１２は磁石又は磁力で作用可能な材料（例えば、鉄、コバルト、ニッケル、アモルファス材料又は超伝導体など）で作製されたものである。
【００２６】
前記コイル１３は、前記収容空間１１の外側に設けられ、一つの電子回路に接続し、前記電子回路が電流を前記コイル１３に供給すると、前記ワーク１２が移動される（例えば、往復動）。
前記補償具は前記収容空間１１の外部に設けられ、前記コイル１３に電流を流すと、前記ワーク１２の磁力線が補償されて強化され、前記ワーク１２に対する駆動力が強化される。
前記補償具は一つの磁性体１４を含み、前記コイル１３に電流を流すと、前記磁性体１４の磁力線が前記コイル１３の磁力線に導かれて補償されて強化されるので、前記ワーク１２に対する駆動力が強化される。
【００２７】
次に、前記磁性体１４の構造および作動原理を詳細に説明する。
（１）図２Ａに示すワーク１２は磁石であり、磁極は左右方向に位置し、コイル１３は上下方向に沿って収容空間１１の外面に巻き付け、前記コイル１３による磁極が左右方向に位置するので、ワーク１２が駆動されてリニア的に運動し、磁性体１４は前記コイル１３の外面に設置されるブロックであり、磁力線の出入り方向がコイル１３の磁力線の出入り方向に対応し、すなわち、前記磁性体１４の磁極が左右方向に位置し、コイル１３と磁性体１４の対応する磁極が相異する場合には、磁性体１４の磁力線がコイル１３の磁力線に導かれ、コイル１３の磁極が補償されて強化され、すなわち、相異な磁極が互いに接近すると、磁気通路が短縮し、磁極の磁力が増加し、また、図２Ｂに示す磁性体１４がスリーブ形状を呈してコイル１３の外面をカバーする構成は上記と同様な効果を達成することもでき、また、磁性体１４が収容空間１１とコイル１３との間に設置される構成は上記と同様な効果を達成することもできる。
【００２８】
（２）図２Ａに示すワーク１２は磁石であり、磁極は左右方向に位置し、コイル１３は上下方向に沿って収容空間１１の外面に巻き付け、前記コイル１３による磁極が左右方向に位置するので、ワーク１２が駆動され、磁性体１４は前記コイル１３の外面に設置されるブロックであり、磁力線の出入り方向がコイル１３の巻き線方向に対応し、すなわち、前記磁性体１４の磁極が上下方向に位置し、磁性体１４のコイル１３に対応する一端の磁力線がコイル１３の磁力線に導かれ、コイル１３の一つの磁極が補償されて強化され、この構成により上記と同様な効果を達成することができ、また、図２Ｂに示す磁性体１４がスリーブ形状を呈してコイル１３の外面をカバーする構成は上記と同様な効果を達成することもでき、また、磁性体１４が収容空間１１とコイル１３との間に設置される構成は上記と同様な効果を達成することもできる。
【００２９】
（３）図３Ａを参照する。図２Ａにおける補償具は更に一つの磁気伝導体１５を含み、前記磁気伝導体１５はコイル１３と磁性体１４との間に設置され、前記コイル１３と前記収容空間１１を覆い、これにより、磁力線が前記磁気伝導体１５にもっと有効に導かれ、磁力が補償されて強化される。
【００３０】
（４）図３Ｂを参照する。図２Ｂにおける補償具は更に一つの磁気伝導体１５を含み、前記磁気伝導体１５はコイル１３と磁性体１４との間に設置され、前記コイル１３と前記収容空間１１を覆い、これにより、磁力線が前記磁気伝導体１５にもっと有効に導かれ、磁力が補償されて強化される。
【００３１】
（５）図４Ａを参照する。図３Ａにおける磁性体１４をコイル１３と磁気伝導体１５との間に置換してもよい。
（６）図４Ｂを参照する。図３Ｂにおける磁性体１４をコイル１３と磁気伝導体１５との間に置換してもよい。
【００３２】
（７）図５Ａを参照する。図４Ａにおけるコイル１３を磁気伝導体１５の外側面に置換してもよく、もちろん、上記構成は磁気伝導体１５が磁性体１４と収容空間１１を覆う。
（８）図５Ｂを参照する。図４Ｂにおけるコイル１３を磁気伝導体１５の外側面に置換してもよく、もちろん、上記構成は磁気伝導体１５が磁性体１４と収容空間１１を覆う。
【００３３】
（９）図６Ａを参照する。図５Ａにおける磁性体１４をコイル１３と磁気伝導体１５との間に置換してもよく、もちろん、上記構成は磁気伝導体１５が収容空間１１を覆う。
（１０）図６Ｂを参照する。図５Ｂにおける磁性体１４をコイル１３と磁気伝導体１５との間に置換してもよく、もちろん、上記構成は磁気伝導体１５が収容空間１１を覆う。
【００３４】
また、本実施例に係る磁気伝導体１５は下記の構造を有する。
（１１）収容空間１１の両端には開口が設けてあり、磁気伝導体１５の両端がそれぞれ湾折されて前記収容空間１１の端部から前記収容空間１１の内部に一定長さで伸び込み、これにより、磁気通路が導かれ、上記と同様な効果を達成することもでき、図７に示す上記構成は図３Ａの変化例である。
【００３５】
（１２）収容空間１１の両端には開口が開設してあり、他の磁気伝導体１５’がそれぞれ設けてあり、前記他の磁気伝導体１５’は一端が前記収容空間１１の内部に位置し、他端が前記磁気伝導体１５に当接し、図８に示す上記構成は図３Ａの変化例である。
本実施例では、ＦＬＵＸ２Ｄ有限要素分析ソフトウェアにより図８における構造を分析し、磁力線分布および磁束密度分布を添付書類１で示し、電磁力対ワーク位置の関係図を添付書類２で示し（＋：磁性無きワークであり、◇：磁性有りワークであり）、添付書類１と添付書類２から明らかなように、本実施例に係る磁性体１４の磁力線はコイル１３の磁力線に導かれることが可能であり、補償されて強化される効果がある。
【００３６】
次に、図９を参照する。本実施例は磁気伝導体１５を有し、この構成によりワーク１２が回転運動をする。この構成の詳細な説明は下記にある。
前記磁気伝導体１５は両端が接触しないサークル形状に湾折され、収容空間１１は前記磁気伝導体の両端の間に設けられ、コイル１３は前記磁気伝導体１５の中段部位に巻き付けられ、ワーク１２は一つの磁石であり、前記収容空間１１内に設けられ、磁性体１４はコイル１３又は磁気伝導体１５に当接し、磁力線の出入り方向がコイル１３の磁力線の出入り方向に対応し、又は、コイル１３の巻き線方向に対応し、これらの構成も上記と同様な効果を達成することができる。また、上記構成は更に磁気伝導体１５の中段部位に巻き付けて電子回路に接続された他のコイルを含み、この構成も上記と同様な効果を達成することができる。
【００３７】
また、ワーク１２がリニア的に運動する構成によれば、ワーク１２である磁石がコイル１３の内部を通過すると、他の電流が発生し、更に、本実施例では、前記他の電流を電子回路にフィードバックするためのフィードバック回路を含み、この構成も上記と同様な効果を達成することができる。
【００３８】
また、本実施例の電流制御補償強化装置は、磁性体１４を設置せず、磁気伝導体１５を設置してもよく、そうすると、前記磁気伝導体１５が磁気通路を形成し、コイル１３の磁力線が前記磁気伝導体１５に有効に導かれ、前記コイル１３の磁力線が補償されて強化され、これにより、ワーク１２に対する駆動力がもっと増加する。
【図面の簡単な説明】
【００３９】
【図１】従来の回転型ポンプの構造を示す概略図である。
【図２Ａ】本発明の実施例１による電流制御補償強化装置を示す断面図である。
【図２Ｂ】本発明の実施例２による電流制御補償強化装置を示す断面図である。
【図３Ａ】本発明の実施例３による電流制御補償強化装置を示す断面図である。
【図３Ｂ】本発明の実施例４による電流制御補償強化装置を示す断面図である。
【図４Ａ】本発明の実施例５による電流制御補償強化装置を示す断面図である。
【図４Ｂ】本発明の実施例６による電流制御補償強化装置を示す断面図である。
【図５Ａ】本発明の実施例７による電流制御補償強化装置を示す断面図である。
【図５Ｂ】本発明の実施例８による電流制御補償強化装置を示す断面図である。
【図６Ａ】本発明の実施例９による電流制御補償強化装置を示す断面図である。
【図６Ｂ】本発明の実施例１０による電流制御補償強化装置を示す断面図である。
【図７】本発明の実施例１１による電流制御補償強化装置を示す断面図である。
【図８】本発明の実施例１２による電流制御補償強化装置を示す断面図である。
【図９】本発明の実施例１３による電流制御補償強化装置を示す概略図である。
【符号の説明】
【００４０】
１１  収容空間、１２  ワーク、１３  コイル、１４  磁性体、１５  磁気伝導体、１５’  磁気伝導体、９１  コイル、９２  磁気伝導体、９３  収容空間、９４  回転子
【図１】
2006314193.tif 000003
【図２Ａ】
2006314193.tif 000004
【図２Ｂ】
2006314193.tif 000005
【図３Ａ】
2006314193.tif 000006
【図３Ｂ】
2006314193.tif 000007
【図４Ａ】
2006314193.tif 000008
【図４Ｂ】
2006314193.tif 000009
【図５Ａ】
2006314193.tif 000010
【図５Ｂ】
2006314193.tif 000011
【図６Ａ】
2006314193.tif 000012
【図６Ｂ】
2006314193.tif 000013
【図７】
2006314193.tif 000014
【図８】
2006314193.tif 000015
【図９】
2006314193.tif 000016